(57)【要約】【課題】閉蓋作業を機械化し、蓋がロック状態に十分に保持されるようにしたロック構造部を備えた包装箱を提供する。【解決手段】蓋部８の係止用の外蓋フラップ１０に形成された、スリット状のロック片保持用スリット部２１の一部を、拡幅するよう一体的に開口してロック片挿入ガイド部２２を形成する。ロック片挿入ガイド部２２の少なくとも一方の端部にガイド辺部２２ａを設ける。前面パネル２から延出した係止保持部１１ａの自由端部に、ロック片保持用スリット部２１に挿入されるロック片１２を設ける。ロック片１２には、自由端部に向けて先すぼまりとなるよう形成された少なくとも１つの斜辺１２aを設ける。ロック片１２を、ロック片挿入ガイド部２２に挿入する動作に従って、ガイド辺部２２ａ及び斜辺１２aにガイドされてロック片１２がロック片保持用スリット部２１に挿入されるようにロック構造部を構成する。【選択図】図８
2009137606.tif 000002
【特許請求の範囲】
【請求項１】
中空の立体で外殻の一部が開閉可能な蓋部で構成され、前記蓋部を閉蓋状態で保持するロック構造部を備えた包装箱において、
前記蓋部に形成されたスリット状のロック片保持用スリット部と、
前記ロック片保持用スリット部の一部を拡幅するよう一体的に開口し、拡幅された開口の少なくとも一方の端部を前記ロック片保持用スリット部に向けて開口が末広がりに広がるように形成したガイド辺部を設けた、ロック片挿入ガイド部と、
前記中空の立体の外殻における前記蓋部以外の部分から延出されるように設けられ、前記蓋部が閉じた状態で、前記ロック片保持用スリット部に、摩擦で抜け出さないように挿入されるロック片と、
前記ロック片を、前記ロック片挿入ガイド部に挿入する動作に従って、前記ロック片が前記ロック片保持用スリット部に挿入されるようガイドするため、前記ロック片の自由端部に向けて先すぼまりとなるよう形成された少なくとも１つの斜辺と、
を有することを特徴とするロック構造部を備えた包装箱。
【請求項２】
前記ロック片挿入ガイド部が設けられている前記ロック片保持用スリット部の拡幅された開口部分の穴幅を、少なくとも前記ロック片の厚さの２倍以上に構成したことを特徴とする請求項１に記載のロック構造部を備えた包装箱。
【請求項３】
前記ロック片を、前記中空の立体の外殻における前記蓋部以外の部分から延出されたロック操作フラップの自由端辺部から折り曲がって連なるように構成すると共に、前記ロック片の幅を前記ロック操作フラップの幅よりも小さく形成して、前記ロック片の両側に当たる前記ロック操作フラップの自由端辺部に、
前記ロック片に干渉することなく前記ロック操作フラップに対して前記ロック片を折り曲げる動作のときに利用可能な係止保持部を設けたことを特徴とする請求項１に記載のロック構造部を備えた包装箱。
【発明の詳細な説明】
【技術分野】
【０００１】
本発明は各種の製品を包装収納する包装箱に関し、特にその蓋となる天面パネルを閉蓋状態で保持するためのロック構造部を備えた包装箱に関する。
【背景技術】
【０００２】
従来の包装箱には、蓋となる天面パネル側に形成した係止孔に、前面パネル側に形成した可動フラップのロック片を嵌合させて、天面パネルを固定するロック構造部を備えたものがある。
【０００３】
このロック構造部では、天面パネルから折り曲げて延出させた幅広舌片状の差込みフラップの所定位置に係止孔を穿設する。さらに、このロック構造部では、前面パネルの一部を長舌片状に切り起こして形成した可動フラップの自由端部を尖らせて、ロック片部を形成する。
【０００４】
そして、このロック構造部では、閉蓋状態とした天面パネル側の係止孔に、前面パネル側の可動フラップ先端のロック片部を挿入して、天面パネルを閉蓋状態にロックしている（例えば、特許文献１参照）。
【０００５】
このようなロック構造部を備えた包装箱では、閉蓋作業を人手で行っており、人間が手作業でロック片を微調整しながら係止孔へ挿入する、閉蓋工程の作業を行っていた。
【０００６】
しかし、近年、ロック構造部を備えた包装箱における閉蓋工程に対しては、閉蓋作業を機械化することへの要請が強くなっている。このため、閉蓋工程におけるロック片の挿入作業を機械化しようとした場合には、ロック片を微調整しながら係止孔へ挿入する動作を機械に行わせることが困難である。
【０００７】
そこで、包装箱における蓋となる天面パネルを閉じ、ロック構造部によって天面パネルを閉状態に保持する状態とする閉蓋作業を機械で行えるようにするために、ロック構造部の構造を改良することが提案されている。
【０００８】
例えば、ロック構造部の改良構造では、蓋となる天面パネル側の係止孔に、側面パネルを延長屈曲した内フラップ（ロック片部）を容易に挿入可能とするため、この内フラップ角部を円弧形状とすることが提案されている。これと共に、ロック構造部の改良構造では、機械のアームを挿入してロック片を引き起こす操作を容易にするため天面フラップに切欠き部を設けることが提案されている（例えば、特許文献２参照）。
【特許文献１】特開２００１−２７８２５１号公報（第５頁、図７）
【特許文献２】特開２００６−１９９３３９号公報（第６頁、図２）
【発明の開示】
【発明が解決しようとする課題】
【０００９】
しかしながら、機械により、ロック構造部における係止孔にロック片を挿入する作業では、天面パネルの狭い係止孔に、ロック片を差し込むために、ロック構造部が高い精度で組み立てられていることが必要である。またこの作業では、尖ったロック片先端が天面パネルの切欠きの端面に引っ掛かるといったことを防止するため、動作の微調整が必要となり、機械の動作に高い精度が要求される。
【００１０】
そこで、ロック構造部では、係止孔の開口を全体的に大きくして、ロック片を容易に差し込めるようにすることが考えられる。しかし、係止孔を単に広げるとロック片の挿入は確実になるが、係止孔内でロック片の周囲にできる遊びが多くなり係止孔内にロック片を保持することが困難で、蓋の固定が不十分になりガタが発生してしまう。
【００１１】
また、ロック構造部を備えた包装箱における閉蓋工程では、天面フラップの切欠き部に、機械のアームを挿入してロック片を引き起こす操作が提案されている。しかし、この閉蓋工程では、ロック片を引き起こす操作と同時にロック片を屈曲させる必要がある。このため、この閉蓋工程では、ロック片を引き起し、ロック片を屈曲し、ロック片を微調整しながら係止孔内に挿入する閉蓋作業を、機械によって自動的に実行するのが困難であった。
【００１２】
本発明は、閉蓋作業を機械による誤差が許容される安易な作業動作によって確実に実行可能とし、包装箱の蓋がロック状態に十分に保持されるようにした、ロック構造部を備えた包装箱を提供することを目的とする。
【課題を解決するための手段】
【００１３】
上記目的を達成するために、請求項１記載のロック構造部を備えた包装箱は、中空の立体で外殻の一部が開閉可能な蓋部で構成され、前記蓋部を閉蓋状態で保持するロック構造部を備えた包装箱において、前記蓋部に形成されたスリット状に形成されたロック片保持用スリット部と、前記ロック片保持用スリット部の一部を拡幅するよう一体的に開口し、拡幅された開口の少なくとも一方の端部を前記ロック片保持用スリット部に向けて開口が末広がりに広がるように形成したガイド辺部を設けた、ロック片挿入ガイド部と、前記中空の立体の外殻における前記蓋部以外の部分から延出されるように設けられ、前記蓋部が閉じた状態で、前記ロック片保持用スリット部に、摩擦で抜け出さないように挿入されるロック片と、前記ロック片を、前記ロック片挿入ガイド部に挿入する動作に従って、前記ロック片が前記ロック片保持用スリット部に挿入されるようガイドするため、前記ロック片の自由端部に向けて先すぼまりとなるよう形成された少なくとも１つの斜辺と、を有することを特徴とする。
【発明の効果】
【００１４】
本発明によれば、閉蓋作業を機械による誤差が許容される安易な作業動作によって確実に実行可能とし、包装箱の蓋がロック状態に十分に保持されるようにできるという効果を奏する。
【発明を実施するための最良の形態】
【００１５】
以下、本発明の実施の形態について図面を参照しながら説明する。
【００１６】
図１は、本発明の実施の形態に係わる、ロック構造部を備えた包装箱の蓋を開けた状態を示す斜視図である。
【００１７】
図１において、本実施の形態の包装箱は、ダンボール製の蓋付き箱体（中空の立体で外殻の一部が開閉可能な蓋部で構成されたもの）として構成する。なお、図１に示す包装箱は、外観が直方体状に形成されているが、それ以外の立体（多面体又は球等の曲面を備えた立体）に構成しても良い。
【００１８】
図１に示す包装箱は、矩形平板状の底面パネル１の四辺からそれぞれ直角に折れ曲って連なる矩形平板状に形成された側面形成用パネルである、前面パネル２、左側面パネル３、背面パネル４及び右側面パネル５を備える。また、前面パネル２、左側面パネル３、背面パネル４及び右側面パネル５の相互間は、それぞれ直角に折れ曲って連なるように接続されている。
【００１９】
これら左側面パネル３と右側面パネル５の上端辺には、それぞれ直角に折れ曲って連なる、側面形成用パネル（側面形成用部材）の半分程の大きさの矩形平板状に形成された、蓋部補強用の左内蓋フラップ６と右内蓋フラップ７とを形成する。左内蓋フラップ６と右内蓋フラップ７とは、これらの相対向する前面パネル側の角部を大きな円弧形状のガイド辺６ａ，７ａに形成する。
【００２０】
また、背面パネル４には、その上端辺をヒンジ部として箱の蓋部を構成するための天面蓋パネル８を、直角に折れ曲って連なるように一体的に設ける。この天面蓋パネル８の自由端辺の中央部には、所定幅の小凸片状に形成された係止用の外蓋フラップ１０を直角に折れ曲って連なるように一体的に設ける。
【００２１】
さらに、前面パネル２には、その上端部から折れ曲って連なるように蓋部補強用の天面内蓋パネル９を一体的に設ける。この蓋部補強用の天面内蓋パネル９は、天面蓋パネル８の１枚内側に折り畳まれて補強部材となると共に、注意事項等を記載する部材となる。
【００２２】
前面パネル２と蓋部補強用の天面内蓋パネル９との間には、幅方向中央の折曲部を挟む部分を舌片状に切り起こして、矩形帯状のロック操作フラップ１１を構成する。この蓋部以外の部分から延出されるように設けられたロック操作フラップ１１には、前面パネル２と蓋部補強用の天面内蓋パネル９との折曲部から自由端部にかけての延長部分に、折り曲がって連なるようにロック片１２を構成する。すなわち、このロック片１２は、ロック操作フラップ１１における前面パネル２と蓋部補強用の天面内蓋パネル９との折曲辺部（自由端辺部）の折曲線の中央部に設ける。これによりロック操作フラップ１１には、前面パネル２と蓋部補強用の天面内蓋パネル９との折曲辺におけるロック片１２の両側位置に、それぞれ折曲線に沿った端辺である係止保持部１１ａが形成される。この係止保持部１１ａは、自動閉蓋機械がロック片１２に干渉することなくロック操作フラップ１１を引き出すと共に、ロック操作フラップ１１に対してロック片１２を折り曲げる動作のときに利用可能なように構成される。
【００２３】
また、前面パネル２と蓋部補強用の天面内蓋パネル９との間の折り曲げ部分に隣接した蓋部補強用の天面内蓋パネル９の基端部には、天面蓋パネル８に設けた係止用の外蓋フラップ１０を挿入するための挿入穴２３を設ける。この挿入穴２３は、蓋部補強用の天面内蓋パネル９におけるロック片１２を切り起こしたときにできる開口の両側に連続し、蓋部補強用の天面内蓋パネル９基端の折り曲げ線と平行なスリット状に形成する。この挿入穴２３の溝幅は、係止用の外蓋フラップ１０の厚さより若干広くなるように形成する。
【００２４】
次に、この包装箱に設けるロック構造部（いわゆるダブルロック式のロック機構）について、図６乃至図８を参照しながら説明する。
【００２５】
この図６は、ロック構造部周辺のロック操作フラップ１１とロック片１２を除いた状態を前面パネル２側から見た所を示す要部拡大正面図である。図７は、ロック片１２と天面蓋パネル８の前側を天面蓋パネル８側から見た所を示す要部拡大平面図である。図８は、包装箱の閉蓋作業でロック片挿入直前におけるロック構造部周辺部分の状態を取り出して示す斜視図である。
【００２６】
この包装箱では、天面蓋パネル８における係止用の外蓋フラップ１０を設けた部分と、前面パネル２におけるロック操作フラップ１１を設けた部分との間に渡って、ロック構造部を構成する。
【００２７】
このロック構造部を構成するため、天面蓋パネル８の自由端辺と係止用の外蓋フラップ１０との間の幅方向中央部には、係止穴２０を穿設する。この係止穴２０は、ロック片保持用スリット部２１と、ロック片挿入ガイド部２２とを備える。
【００２８】
このロック片保持用スリット部２１は、穴幅Ｃ，長さＢで開口部分の間隔が狭いスリット状に形成する。このロック片保持用スリット部２１の幅狭の穴幅Ｃは、ロック片１２の厚さと略同じ幅に形成する。このロック片保持用スリット部２１は、そのスリット内にロック片１２が挿入された状態で、ロック片１２の平面と、ロック片保持用スリット部２１の開口端面との間の摩擦力により、ロック片１２が抜け出さないように保持する。
【００２９】
また、ロック片挿入ガイド部２２は、ロック片保持用スリット部２１の中央部に位置し、係止用の外蓋フラップ１０側に拡幅して一体化した、穴幅Ｄ、長さＡの開口として形成する。さらに、ロック片挿入ガイド部２２は、その両端部にそれぞれガイド辺部２２ａを設けて、開口全体が略等脚台形状となるように形成する。これらガイド辺部２２ａは、ロック片挿入ガイド部２２側の長手方向の端辺（係止用の外蓋フラップ１０の自由端側の端辺）から、ロック片保持用スリット部２１側の端辺へかけて開口が末広がりに広がるように形成する。なお、ガイド辺部２２ａ又はガイド辺部２２ａを含むロック片挿入ガイド部２２は、曲線形状に形成しても良い。また、ロック片挿入ガイド部２２は、ロック片保持用スリット部２１の任意の部分に形成しても良い。さらに、ロック片挿入ガイド部２２には、その長手方向の一方の端部にだけガイド辺部２２ａを設けて構成してもよい。
【００３０】
このロック片挿入ガイド部２２の幅広部分の穴幅Ｄ（スリットの短い方向の開口幅）は、ロック片１２の厚さの２倍以上に設定し、ロック片１２の中央部に突出するよう形成された先端部の挿入操作をガイドするよう構成する。
【００３１】
また、ロック片保持用スリット部２１の中央部には、天面蓋パネル８の基端側に向けて凹むように半円形状に切欠して、包装箱の天面蓋パネル８を開ける際にロック片１２を引き出し、ロックを解除するための指掛かりとする操作用穴８ａを形成する。この操作用穴８ａは、その幅（直径に相当）がＧとなるように形成する。
【００３２】
また、前面パネル２側に設けるロック操作フラップ１１におけるロック片１２は、自由端部にかけて先すぼまりとなる等脚台形の先端部を持つ舌片状に形成する。ロック片１２は、図７に示すように、先端辺（等脚台形の上底）を幅Ｅに形成し，後部（等脚台形の下底に相当）を幅Ｆに形成し、先端の両側から後部にかけてそれぞれ所定の傾斜角度で後退する斜辺１２aを設けた形状に形成する。なお、斜辺１２aは、ロック片１２の一方の側にだけ設けても良い。
【００３３】
この包装箱に設けるロック構造部では、各部の寸法関係を、下記式が成立するように形成する。
【００３４】
式（１）  操作用穴８ａの幅Ｇ＜ロック片１２の先端辺の幅Ｅ＜ロック片挿入ガイド部２２の開口長さＡ
これにより、Ｇ＜Ｅの関係から、ロック片１２をロック片保持用スリット部２１及びロック片挿入ガイド部２２へ挿入する際に、ロック片１２の先端辺が操作用穴８ａの端面部分に引っ掛かることを防止可能である。
【００３５】
また、Ｅ＜Ａの関係から、ロック片１２をロック片挿入ガイド部２２へ挿入する際に、ロック片１２先端の挿入位置が多少ばらついていても、ロック片挿入ガイド部２２内へロック片１２が挿入されるようにできる。すなわち、ロック片挿入ガイド部２２の長さＡが長い大きな開口に対しては、ロック片１２の長さＥが短い先端辺が、挿入位置にロック片１２の長手方向の誤差があっても、容易に挿入される。
【００３６】
これと共に、ロック片挿入ガイド部２２の間隔Ｄを、ロック片１２の厚さの２倍とした場合には、ロック片１２先端の挿入位置が多少ばらついていても、ロック片１２をロック片挿入ガイド部２２内へ容易に挿入できる。なお、このときのロック片１２の先端部の厚さ方向における挿入位置の誤差許容範囲（ロック片１２の曲げ状態の誤差許容範囲）は、プラス／マイナスでロック片１２の厚さの半分までとなる。すなわち、例えばロック片１２の厚さが２ｍｍである場合には、ロック片挿入ガイド部２２の間隔の幅Ｄを４ｍｍ以上に形成する。このように構成した場合におけるロック片１２先端の位置精度は、±１ｍｍの誤差が許容されるものとなる。さらに例えば、ロック片１２の厚さが１．５ｍｍであれば、ロック片挿入ガイド部２２の間隔の幅Ｄを３ｍｍ以上に形成する。この場合のロック片１２先端の位置精度は、±０．７５ｍｍの精度であれば良い。
【００３７】
よってロック操作フラップ１１の先端に形成されたロック片１２を曲げ加工したときの曲げ精度に多少のばらつきがあっても、ロック片１２の先端をロック片挿入ガイド部２２の開口内に挿入することができる。
【００３８】
なお、ロック片１２は、自動閉蓋装置等で自動的に閉蓋の作業を行う際に、機械によってロック操作フラップ１１に対し所定角度をなすように折り曲げられる。この機械による折り曲げ加工では、ロック操作フラップ１１と高精度で所定の角度をなすようにロック片１２を折り曲げるのが困難である。そこで、ロック片１２の曲げ状態の誤差許容範囲を大きくすることにより、簡素で廉価な装置によって、ロック片１２の折り曲げ加工を行うことができる。
【００３９】
また、ロック片１２は、深く挿入されるのにつれて、ロック片挿入ガイド部２２両側の斜辺１２aであるガイド辺部２２ａに、ロック片１２の斜辺１２aが案内されて、ロック片保持用スリット部２１内へ導かれる。そして、ロック片１２は、ロック片１２の幅Ｆの後部が、間隔が狭く長手方向の幅がＢのスリットであるロック片保持用スリット部２１内に嵌まり、ロック片保持用スリット部２１との間の摩擦力によって固定保持される。
【００４０】
なお、このときにロック片１２に働く摩擦力は、ロック片保持用スリット部２１の他に、ロック片１２と天面蓋パネル８の平面との間にも発生する。よって、この包装箱に設けるロック構造部によれば、閉蓋されてロック状態とされた後は、天面蓋パネル８をガタ無く確実に固定できる。
【００４１】
また、ロック片保持用スリット部２１の幅Ｂは、ロック片１２の幅Ｆよりわずかに広い構造である。このため、ロック片保持用スリット部２１の幅Ｂで間隔の狭い隙間内部に、幅Ｂより若干小さな幅Ｆに形成されたロック片１２を直接挿入するのが困難である。これに対し、前述したロック片１２の斜辺１２a及びロック片挿入ガイド部２２のガイド構造では、ロック片１２をロック片保持用スリット部２１内へ容易に挿入でき、挿入時の微調整を不要にできる。
【００４２】
次に、図１乃至図５によって、包装箱の閉蓋工程の作業について説明する。
【００４３】
この閉蓋工程では、図１に示すように、左内蓋フラップ６、右内蓋フラップ７、天面蓋パネル８及び蓋部補強用の天面内蓋パネル９を開いた状態で、箱の中に、製品本体、緩衝材、付属品類、説明書等を入れる。
【００４４】
次に、図示しない閉蓋作業用の自動装置は、先ず左内蓋フラップ６、右内蓋フラップ７を内側に折り畳んで図２の状態とする。
【００４５】
次に、図示しない閉蓋作業用の自動装置は、蓋部補強用の天面内蓋パネル９を閉じて、図３に示す状態とする。この作業では、左内蓋フラップ６と右内蓋フラップ７とが多少浮き上がってしまう場合がある。この場合でも、蓋部補強用の天面内蓋パネル９は、左内蓋フラップ６と右内蓋フラップ７の前面パネル２側のガイド辺６ａ，７ａ（円弧形状）にガイドされるので、蓋部補強用の天面内蓋パネル９を滑らかに閉めることができる。
【００４６】
次に、図示しない閉蓋作業用の自動装置は、天面蓋パネル８から延長して形成されている差込みフラップ１０を折り曲げる。さらに、図示しない閉蓋作業用の自動装置は、天面蓋パネル８を折り畳みながら、係止用の外蓋フラップ１０を挿入穴２３に挿入して、図４に示す状態とする。
【００４７】
次に、図示しない閉蓋作業用の自動装置は、ロック操作フラップ１１の自由端辺からロック片１２の部分を所定角度（例えば、直角より若干鋭角の角度）に折り曲げる。そして、この折り曲げられたロック片１２の先端をロック片挿入ガイド部２２に挿入して押し込むことにより、ロック片１２全体をロック片保持用スリット部２１内に差し込んで図５に示すロック状態として閉蓋作業を完了する。
【００４８】
次に、本実施の形態における、ロック操作フラップに設けるロック片部分の変形例について図９を参照しながら説明する。
【００４９】
この図９に示す包装箱に設けるロック構造部では、ロック操作フラップ１１の自由端部に、ロック操作フラップ１１と同じ幅に形成したロック片１３を折り曲げて連なるように設ける。このように構成することにより、ロック操作フラップ１１及びロック片１２部分の構成を簡素化して、その切り起こし加工を容易にできる。
【００５０】
なお、前述した図１乃至図８と図９とに示す包装箱に設けるロック構造部は、閉蓋作業用の自動装置で閉蓋作業を行う梱包の機械化に適するのみならず、人手によって閉蓋作業を行う場合にも有効である。
【図面の簡単な説明】
【００５１】
【図１】本発明の実施の形態に係わる、ロック構造部を備えた包装箱の蓋を開けた状態を示す斜視図である。
【図２】本発明の実施の形態に係わるロック構造部を備えた包装箱の閉蓋工程における左内蓋フラップ及び右内蓋フラップを閉じた状態を示す斜視図である。
【図３】本発明の実施の形態に係わるロック構造部を備えた包装箱の閉蓋工程における蓋部補強用の天面内蓋パネルを閉じた状態を示す斜視図である。
【図４】本発明の実施の形態に係わるロック構造部を備えた包装箱の閉蓋工程における天面蓋パネルを閉じた状態を示す斜視図である。
【図５】本発明の実施の形態に係わるロック構造部を備えた包装箱の閉蓋工程で閉蓋作業を完了して天面蓋パネルを閉じてロックされた状態を示す斜視図である。
【図６】本発明の実施の形態に係わるロック構造部を備えた包装箱におけるロック構造部周辺のロック操作フラップとロック片を除いた状態を前面パネル側から見た所を示す要部拡大正面図である。
【図７】本発明の実施の形態に係わるロック構造部を備えた包装箱におけるロック片と天面蓋パネルの前側を天面蓋パネル側から見た所を示す要部拡大平面図である。
【図８】本発明の実施の形態に係わるロック構造部を備えた包装箱における包装箱の閉蓋作業でロック片挿入直前におけるロック構造部周辺部分の状態を取り出して示す斜視図である。
【図９】本発明の実施の形態に係わるロック構造部を備えた包装箱における他の構成例を示す斜視図である。
【符号の説明】
【００５２】
１  底面パネル
２  前面パネル
３  左側面パネル
４  背面パネル
５  右側面パネル
６  左内蓋フラップ
６ａ  ガイド辺
７  右内蓋フラップ
７ａ  ガイド辺
８  天面蓋パネル
９  蓋部補強用の天面内蓋パネル
１０  係止用の外蓋フラップ
１１  ロック操作フラップ
１２  ロック片
１３  ロック片
２０  係止穴
２１  ロック片保持用スリット部
２２  ロック片挿入ガイド部
２３  挿入穴
【図１】
2009137606.tif 000003
【図２】
2009137606.tif 000004
【図３】
2009137606.tif 000005
【図４】
2009137606.tif 000006
【図５】
2009137606.tif 000007
【図６】
2009137606.tif 000008
【図７】
2009137606.tif 000009
【図８】
2009137606.tif 000010
【図９】
2009137606.tif 000011